(57)【要約】      （修正有）【課題】蓄冷・蓄熱材の数量を増加又は減少させて冷暖房容量調整を可能とする冷暖房モジュールを提供する。【解決手段】本体１内の収容空間内で相互に連通する第１送風口に対応して配置された送風装置１００と第２送風口１３の間に蓄冷・蓄熱作用を有する熱エネルギー貯蔵部材２２を備えた複数の熱エネルギー貯蔵コンポーネント２を配置する。熱エネルギー貯蔵コンポーネントはフレーム上部１４に設けた挿入開口１１から吊り下げて収容して配置され、熱エネルギー貯蔵コンポーネントの数、容量を変えることによって蓄熱容量が調整できる。【選択図】図２
0003189690.tif 000002
【実用新案登録請求の範囲】
【請求項１】
少なくとも１つの蓄冷、蓄熱による熱エネルギー貯蔵コンポーネントを備えた冷暖房モジュールであって、
フレーム内に収容空間を設けた本体内に送風装置を配置し、
外気に開放する第１送風口及び第２送風口を設けて、該送風装置をその一方に相対して配置すると共に他方の送風口との間の上記収容空間内に上記熱エネルギー貯蔵コンポーネントを配置し、固定部材により着脱可能に上記フレームに固定した、冷暖房モジュール。
【請求項２】
前記固定部材は、フック部材であり、該フック部材末端に前記本体に懸吊するフック部を設けて、該フック部を介して上記熱エネルギー貯蔵コンポーネントが本体に懸吊されてなる、
請求項１に記載の冷暖房モジュール。
【請求項３】
各前記熱エネルギー貯蔵コンポーネントは、複数の熱エネルギー貯蔵部材からなり、該熱エネルギー貯蔵部材は、順に直列に接続されて前記フック部材上に積層される請求項２に記載の冷暖房モジュール。
【請求項４】
前記フック部材は、吊り下げ棒であり、前記熱エネルギー貯蔵部材に貫通孔を設けて、該吊り下げ棒を該貫通孔に挿通して該熱エネルギー貯蔵部材を固定してなる、
請求項２に記載の冷暖房モジュール。
【請求項５】
前記フック部材は、吊り下げ縄であり、前記熱エネルギー貯蔵部材に貫通孔を設けて、該吊り下げ縄を該貫通孔に挿通して該熱エネルギー貯蔵部材を固定してなる、
請求項２に記載の冷暖房モジュール。
【請求項６】
前記フック部材は、Ｕ型吊り下げ縄であり、前記熱エネルギー貯蔵部材の外周縁に環型溝を開設して、該環型溝に該Ｕ型吊り下げ縄を嵌合して、該熱エネルギー貯蔵部材を定位させてなる請求項２に記載の冷暖房モジュール。
【請求項７】
前記フック部材は、網袋であり、前記熱エネルギー貯蔵部材は、該網袋中に収容されてなる請求項２に記載の冷暖房モジュール。
【請求項８】
前記熱エネルギー貯蔵部材は、球形ブロック、円形ブロック、柱形ブロック、矩形ブロック、三角形ブロック、円形環ブロック、矩形環ブロック又は三角形環ブロックである請求項１に記載の冷暖房モジュール。
【請求項９】
前記本体は、内部に収容空間を形成するフレームからなり、該フレームは少なくとも１つの引っ掛け部を有し、前記フック部材はフック部材末端に設けたフック部を介して、該引っ掛け部に着脱可能に懸吊されてなる請求項２に記載の冷暖房モジュール。
【請求項１０】
前記引っ掛け部は、前記フレームの収容空間上部に配置されてなる請求項９に記載の冷暖房モジュール。
【請求項１１】
前記引っ掛け部及び熱エネルギー貯蔵コンポーネントの数量が複数であり、該引っ掛け部は、前記第１送風口から第２送風口の方向へ間隔をおいて並列方式で該上部に配列され、該熱エネルギー貯蔵コンポーネントを間隔をおいて並列方式で該収容空間に配列させる請求項１０に記載の冷暖房モジュール。
【請求項１２】
前記フレームは、少なくとも１つの蓋板を更に備え、前記上部に前記収容空間を連通する少なくとも１つの挿入口を設け、
該蓋板は、該挿入口を対応して封鎖し、前記引っ掛け部は、該蓋板の底部に設けてなる請求項１０に記載の冷暖房モジュール。
【請求項１３】
前記引っ掛け部、熱エネルギー貯蔵コンポーネント、挿入口及び蓋板の数量は、複数であり、該挿入口は、該第１送風口から該第２送風口の方向へ間隔をおいて並列方式で該上部に配列され、該熱エネルギー貯蔵コンポーネントを、間隔をおいて並列方式で該収容空間に配列させてなる請求項１２に記載の冷暖房モジュール。
【請求項１４】
前記送風装置は、上記フレーム内に固定され、該フレームは、前記送風装置に対応して配置されてなる第３送風口を設ける請求項９に記載の冷暖房モジュール。
【請求項１５】
前記第１送風口及び該第２送風口は、それぞれ該本体の互いに対応する両端に形成されてなる請求項１に記載の冷暖房モジュール。
【考案の詳細な説明】
【技術分野】
【０００１】
本考案は、蓄冷又は蓄熱による冷暖房モジュールに関し、特に、冷暖房モジュールに関する。
【背景技術】
【０００２】
一般の夏又は白昼の気温が高い室内において、冷風を排出する冷房機又は冷風器を利用して温度を低減させ、冬又は夜の気温が低い室内において、熱風を排出する暖房機又は熱風器を利用して温度を上昇させている。しかしながら、冷風又は温風等を排出する送風装置は、作動時の大部分は何れも電力消費が高いピークにある。
【０００３】
現在は、冷暖房装置が開発されており、この冷暖房装置は、熱エネルギー貯蔵材料を設け、この熱エネルギー貯蔵材料は、電力消費が低いピーク期間に予め熱エネルギーを保存し、電力消費が高いピーク期間に送風装置を開放し、送風装置及び熱エネルギー貯蔵材料を組み合わせて使用させ、冷暖房装置に冷風又は熱風を吹き出す効果をもたせ、熱エネルギー貯蔵材料の量を調整することで、冷たさ又は熱さの強弱を決定し、冷暖房の効果を実現している。
【０００４】
冷暖房装置は、送風装置に対応して配置され、送風装置が発生する気流を熱エネルギー貯蔵材料に接触させ、冷却又は加熱された後の気流を室内環境中に流し、室内環境の温度を上昇又は低下させる。従って、冷暖房装置に如何に必要に応じて熱エネルギー貯蔵材料の数量を増加又は低減させ、室内の温度を所定値まで到達させるかは、冷暖房装置が具備すべき効果の１つである。
【０００５】
これに鑑み、研究に専念し、学理の運用を合わせることは、本考案者の開発の目標となっている。
【先行技術文献】
【特許文献】
【０００６】
【特許文献１】特開２００３−２４０４６６号公報
【考案の概要】
【考案が解決しようとする課題】
【０００７】
本考案の目的は、冷暖房モジュールを提供することにあり、それは、熱エネルギー貯蔵コンポーネントを利用し、組み合わせ方式で数量を増加又は減少させ、冷暖房モジュールに熱エネルギー貯蔵部材の数量を便利に調整させる効果をもたせる。
【課題を解決するための手段】
【０００８】
上記の目的を達成する為、本考案は、送風装置に用いる冷暖房モジュールを提供し、該冷暖房モジュールは、
収容空間を有し、該収容空間を連通する第１送風口及び第２送風口を設け、前記送風装置が該第１送風口に対応して配置される本体と、
該固定部材が着脱可能に該フレームに接続し、該熱エネルギー貯蔵コンポーネントを該収容空間に収容させる少なくとも１つの上記のような熱エネルギー貯蔵コンポーネントを含む。
【考案の効果】
【０００９】
本考案は、以下の効果を有する：
第１、熱エネルギー貯蔵材料の蓄熱量の大きさを利用し、熱エネルギー貯蔵部材に持続的に流路の気流に対して降温又は昇温を行わせ、熱エネルギー貯蔵部材に電力需要の低いピーク時に予め熱エネルギーを保存し、電力需要の高いピーク時に使用し、熱エネルギー使用効率を向上させ、電力消費を節減する効果を達成する。
第２、各熱エネルギー貯蔵コンポーネントの配列数量は、状況に応じて組み立て方式で増加又は減少させることができ、冷暖房モジュールの冷暖房能力に弱、中、強の効果を持たせ、流出する気流の温度にも弱、中、強の効果を持たせる。
第３、熱エネルギー貯蔵部材は、フック部材に迅速に着脱でき、熱エネルギー貯蔵部材の更換に便利である。
第４、各熱エネルギー貯蔵コンポーネントの熱エネルギー貯蔵部材の数量が複数である状況において、各熱エネルギー貯蔵部材は、順にフック部材上に直列に積層配列され、各熱エネルギー貯蔵コンポーネントは、並列に配列することもでき、単一熱エネルギー貯蔵コンポーネントに状況に応じて熱エネルギー貯蔵部材の数量を調整させ、単一熱エネルギー貯蔵コンポーネントに弱、中、強の冷暖房効果をもたせるか、組み合わせた熱エネルギー貯蔵コンポーネントに状況に応じて並列の数量を調整させ、冷暖房モジュールに弱、中、強の冷暖房効果をもたせることができる。
【図面の簡単な説明】
【００１０】
【図１】本考案の熱エネルギー貯蔵コンポーネントの第１実施例の立体組み合わせ図である。
【図２】本考案の冷暖房モジュールの第１実施例の立体分解図である。
【図３】本考案の冷暖房モジュールの第１実施例の立体組み合わせ図である。
【図４】本考案の冷暖房モジュールの第１実施例の断面説明図である。
【図５】本考案の冷暖房モジュールの第１実施例のもう１つの断面説明図である。
【図６】本考案の冷暖房モジュールの第１実施例の更にもう１つの断面説明図である。
【図７】本考案の冷暖房モジュールの第２実施例の断面説明図である。
【図８】本考案の熱エネルギー貯蔵コンポーネントの第２実施例の使用状態説明図である。
【図９】本考案の熱エネルギー貯蔵コンポーネントの第３実施例の立体組み合わせ図である。
【図１０】本考案の熱エネルギー貯蔵コンポーネントの第４実施例の立体組み合わせ図である。
【図１１】本考案の熱エネルギー貯蔵コンポーネントの第５実施例の立体組み合わせ図である。
【図１２】本考案の熱エネルギー貯蔵コンポーネントの第６実施例の立体組み合わせ図である。
【図１３】本考案の熱エネルギー貯蔵コンポーネントの第６実施例の使用状態説明図である。
【図１４】本考案の熱エネルギー貯蔵コンポーネントの第６実施例のもう１つの使用状態説明図である。
【考案を実施するための形態】
【００１１】
本考案の詳細な説明及び技術内容について、図面を合わせて、以下に説明するが、図面は、ただ説明の用途とするのみであり、本考案の権利範囲を制限するものではない。
【００１２】
図１〜図６に示すように、本考案は、冷暖房モジュールの第１実施例を提供し、送風装置１００に用い、送風装置１００は、気流１０１を発生し、この冷暖房モジュール１０は、本体１及び１つ又は複数の熱エネルギー貯蔵コンポーネント２備える。
【００１３】
送風装置１００は、ファンを例とし、ファンは、排気ファン又は吸気ファンである。
【００１４】
図２〜図５に示すように、本体１は、収容空間１１を有し、収容空間１１を連通する第１送風口１２及び第２送風口１３を設け、送風装置１００は、第１送風口１２に対応して配置される。第１送風口１２及び第２送風口１３は、それぞれ本体１の相対応する両端に形成される。
【００１５】
また、本実施例の本体１は、フレーム３であるが、フレーム３は、収容空間１１上方に配置される上部１４を有し、上部１４は、１つ又は複数の引っ掛け部１５を有する。
【００１６】
更に、以下に説明するように、フレーム３は、１つ又は複数の蓋板１６を更に備え、上部１４は、収容空間１１に連通する１つ又は複数の挿入口１４１を設け、各蓋板１６は、各挿入口１４１を対応して覆い、各引っ掛け部１５に各蓋板１６の底部１６１に形成される。
【００１７】
また、送風装置１００は、フレーム３と相互に分離でき、送風装置１００は、フレーム３内に固定され、フレーム３を送風装置３に相対させることは、固定式のフレーム又は移動式のフレームである。本実施例は、送風装置１００がフレーム３内に固定され、フレーム３が送風装置１００に対応して配置される第３送風口１７を設けることを開示しているが、これに制限するものではなく、それは、実際の状況に応じて調整することができる。
【００１８】
図１に示すように、熱エネルギー貯蔵コンポーネント２は、固定部材２０及び１つ又は複数の熱エネルギー貯蔵部材２２を備え、熱エネルギー貯蔵部材２２は、固定部材２０に着脱可能に接続し、固定部材２０は、着脱可能にフレーム３に接続し、熱エネルギー貯蔵コンポーネント２を収容空間１１に収容する。
この固定部材２０の最適実施例は、フック部材２１であるが、これを制限するものではなく、フック部材２１は、引っ掛け部１５に着脱可能に引っ掛けられる。
【００１９】
熱エネルギー貯蔵部材２２内に蓄冷又は蓄熱材料を取り付ける。また、熱エネルギー貯蔵部材２２は、球形ブロック、円形ブロック、柱形ブロック、矩形ブロック、三角形ブロック、円形環ブロック、矩形環ブロック又は三角形環ブロック等の幾何形状ブロック体であり、熱エネルギー貯蔵部材２２の外形は、本実施例により制限されるものではない。
【００２０】
また、フック部材２１末端にフック部２１１を有し、フック部２１１は、引っ掛け部１５に対応して引っ掛けて、フック部材２１をフック部２１１により引っ掛け部１５に着脱させる。
フック部２１１の外形は、フック状に限定するものではなく、要求に応じて外形を調整することができる。
【００２１】
また、フック部材２１は、吊り下げ棒２１２であり、熱エネルギー貯蔵部材２２に貫通孔２２１を設けて、熱エネルギー貯蔵部材２２は、貫通孔２２１に吊り下げ棒２１２を挿通して固定され、熱エネルギー貯蔵部材２２をフック部材２１に着脱することができる。
【００２２】
引っ掛け部１５及び熱エネルギー貯蔵コンポーネント２の数は、複数であり、各引っ掛け部１５は、第１送風口１２から第２送風口１３の方向へ間隔をおいて並列方式で上部１４に配列され、各熱エネルギー貯蔵コンポーネント２を、間隔をおいて並列方式で収容空間１１に配列させる。
【００２３】
詳細な説明は、以下のとおりであり、引っ掛け部１５、熱エネルギー貯蔵コンポーネント２、挿入口１４１及び蓋板１６の数が複数であり、各挿入口１４１が第１送風口１２から第２送風口１３の方向へ間隔をおいて並列されて上部１４に配列され、各熱エネルギー貯蔵コンポーネント２を、間隔をおいて並列方式で収容空間１１内に配列させる。
【００２４】
本考案の熱エネルギー貯蔵コンポーネント２の組み合わせは、図１に示すように、熱エネルギー貯蔵部材２２を固定部材２０に着脱可能に接続する。これにより、熱エネルギー貯蔵コンポーネント２は、組み合わせ方式で数量を増加又は減少させ、複数の熱エネルギー貯蔵部材の数量を一度に調整することに便利である。
【００２５】
本考案は、冷暖房モジュール１０の組み合わせは、図２〜図５に示すように、本体１が有する収容空間１１を利用し、収容空間１１を連通する第１送風口１２及び第２送風口１３を設け、送風装置１００は、第１送風口１２に対応して配置される。熱エネルギー貯蔵コンポーネント２は、収容空間１１内に収容され、熱エネルギー貯蔵コンポーネント２は、固定部材２０及び熱エネルギー貯蔵部材２２を備え、熱エネルギー貯蔵部材２２は、固定部材２０に着脱可能に接続でき、固定部材２０は、フレーム３に着脱可能に接続できる。これにより、熱エネルギー貯蔵コンポーネント２は、組み合わせ方式で数量を増加又は減少することができ、冷暖房モジュール１０は、熱エネルギー貯蔵部材２２の数量を便利に調整する効果を有する。
【００２６】
本考案の冷暖房モジュール１０及び熱エネルギー貯蔵コンポーネント２の使用状態は、図４〜図６に示すように、ファンが排気ファンであるか、吸気ファンであるかに関わらず、送風装置１００の作動時に気流１０１を発生し、気流１０１を正方向又は逆方向に順に第１送風口１２、収容空間１１及び第２送風口１３に流動させる。先ず、熱エネルギー貯蔵部材２２を電力消費量が低いピーク時（例えば、夜間）に予め冷却又は加熱し、それから、熱エネルギー貯蔵部材２２を収容空間１１中に安置し、熱エネルギー貯蔵部材２２を流れる気流１０１に対して降温又は昇温を行う。熱エネルギー貯蔵部材２２は、電力消費量が低いピーク時（例えば、夜間）に予め熱エネルギーを保存し、電気的に高いピーク時に使用し、ピークを移行して谷を埋めて平均化し、高いピークの電力消費量を減少し、熱エネルギー使用効率を向上し、電力消費を節減する効果を達成する。
【００２７】
また、図６に示すように、引っ掛け部１５、熱エネルギー貯蔵コンポーネント２、挿入口１４１及び蓋板１６の数量が複数であり、各挿入口１４１は、第１送風口１２から第２送風口１３の方向へ間隔をおいて並列方式で上部１４に配列され、各蓋板１６は、各挿入口１４１を対応して覆い、各引っ掛け部１５、各蓋板１６の底部１６１に形成され、熱エネルギー貯蔵コンポーネント２は、収容空間１１内に収容され、熱エネルギー貯蔵部材２２は、フック部材２１に着脱可能に接続し、フック部材２１は、引っ掛け部１５に着脱可能に引っ掛けることができ、各熱エネルギー貯蔵コンポーネント２を収容空間１１に間隔をおいて配列方式で配列させる。これにより、各熱エネルギー貯蔵コンポーネント２は、相互に前後に対応し、且つ並列に配列され、各熱エネルギー貯蔵コンポーネント２の配列数量を状況に応じて組み立て方式で増加又は減少させ、冷暖房モジュール１０の冷暖房能力に弱、中、強の効果を持たせ、流出する気流１０１の温度に弱、中、強の効果を持たせる。
【００２８】
また、熱エネルギー貯蔵コンポーネント２は、蓋板１６に引っ掛けられ、熱エネルギー貯蔵コンポーネント２の交換に便利であり、熱エネルギー貯蔵部材２２が常温に回復する時、単に熱エネルギー貯蔵コンポーネント２を抽出して熱エネルギー貯蔵部材２２を交換し、冷暖房モジュール１０を迅速にユニットに回復させ、冷風又は熱風を吹き出す能力を持続させることができる。
【００２９】
また、フック部材２１末端にフック部２１１を有し、フック部２１１は、引っ掛け部１５に対応して引っ掛けることができ、フック部材２１を引っ掛け部１５に迅速に着脱させることができ、熱エネルギー貯蔵コンポーネント２の使用に便利である。
【００３０】
また、フック部材２１は、吊り下げ棒２１２であり、熱エネルギー貯蔵部材２２は、貫通孔２２１を設け、熱エネルギー貯蔵部材２２は、貫通孔２２１に吊り下げ棒２１２を挿通して固定し、熱エネルギー貯蔵部材２２をフック部材２１に着脱可能に接続させ、熱エネルギー貯蔵部材２２の交換に便利である。
【００３１】
図７を参考する。
本考案の冷暖房モジュールの第２実施例であり、冷暖房モジュール１０の第２実施例は、第１実施例とほぼ同一であるが、冷暖房モジュール１０の第２実施例と第１実施例と異なる箇所は、送風装置１００がフレーム３の後方に固定されることにある。
【００３２】
しかしながら、本考案の送風装置１００は、フレーム３の前方又は後方に固定してもよく、同時に送風装置１００の位置は、冷暖房モジュール１０及び熱エネルギー貯蔵コンポーネント２の作用と効果に影響を及ぼさない。
【００３３】
図８、図９に示すものは、考案の熱エネルギー貯蔵コンポーネントの第２、第３実施例であり、熱エネルギー貯蔵コンポーネント２の第２、第３実施例は、第１実施例とほぼ同じであるが、実施例との異なる箇所は、熱エネルギー貯蔵部材２２の形状が異なることにある。
【００３４】
しかしながら、熱エネルギー貯蔵部材２２は、球形ブロック、円形ブロック、柱形ブロック、矩形ブロック、三角形ブロック、円形環ブロック、矩形環ブロック又は三角形環ブロック等の幾何形状のブロック体であってよく、熱エネルギー貯蔵部材２２の外形は、上記実施例により制限されるものではない。
【００３５】
また、各熱エネルギー貯蔵コンポーネント２の熱エネルギー貯蔵部材２２の数量は、複数であり、各熱エネルギー貯蔵部材２２は、順に直列接続され、フック部材２１上に積層配列され、単一熱エネルギー貯蔵コンポーネント２を状況に応じて熱エネルギー貯蔵部材２２の数量を調整することができ、単一の熱エネルギー貯蔵コンポーネント２に弱、中、強の冷暖房効果を持たせる。
【００３６】
図１０を参照する。
本考案の熱エネルギー貯蔵コンポーネントの第４実施例であり、熱エネルギー貯蔵コンポーネント２の第４実施例は、第１実施例とほぼ同一であるが、熱エネルギー貯蔵コンポーネント２の第４実施例と第１実施例の異なる箇所は、熱エネルギー貯蔵コンポーネント２の第４実施例のフック部材２１が吊り下げ縄２１３であることにある。
【００３７】
更に、以下に説明するように、熱エネルギー貯蔵部材２２は、貫通孔２２１を設け、熱エネルギー貯蔵部材２２は、貫通孔２２１に吊り下げ縄２１３を挿通することにより、熱エネルギー貯蔵部材２２をフック部材２１に迅速に着脱させることができ、熱エネルギー貯蔵部材２２の交換に便利である。
【００３８】
図１１を参照する。
本考案の熱エネルギー貯蔵コンポーネント２の第５実施例であり、熱エネルギー貯蔵コンポーネント２の第５実施例は、第１実施例と略同一であるが、熱エネルギー貯蔵コンポーネント２の第５実施例と第１実施例の異なる箇所は、熱エネルギー貯蔵コンポーネント２の第５実施例のフック部材２１は、Ｕ型吊り下げ縄２１４である。
【００３９】
更に、以下に説明するように、熱エネルギー貯蔵部材２２の外周縁に環型溝２２２を開設して、Ｕ型吊り下げ縄２１３を該環型溝２２２に嵌合して、熱エネルギー貯蔵部材２２をＵ型吊り下げ縄２１４に定位させることにより、熱エネルギー貯蔵部材２２をフック部材２１に迅速に着脱させ、熱エネルギー貯蔵部材２２の更換に便利である。
【００４０】
図１２〜図１４をする。
本考案の熱エネルギー貯蔵コンポーネントは、第６実施例であり、熱エネルギー貯蔵コンポーネント２の第６実施例は、第１実施例とほぼ同一であるが、熱エネルギー貯蔵コンポーネント２の第６実施例と第１実施例の異なる箇所は、熱エネルギー貯蔵コンポーネント２の第６実施例のフック部材２１が網袋２１５であることである。
【００４１】
更に以下に説明するように、１つ又は複数の熱エネルギー貯蔵部材２２は、網袋２１５中に収容することにより、熱エネルギー貯蔵部材２２をフック部材２１に迅速に着脱でき、熱エネルギー貯蔵部材２２の更換に便利である。
【００４２】
また、図６を参照する。
第６実施例のフレーム３は、挿入口１４１及び蓋板１６を設けられ、本考案のフレーム３は、前記各実施例により制限されるものでなく、それは、実際の状況に応じて調整を行うことができ、フレーム３は、引っ掛け部３を有してフック部材２１を引っ掛けさせることができるだけでよい。
【００４３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４４】
１００  送風装置
１０１  気流
１０  冷暖房モジュール
１  本体
１１  収容空間
１２  第１送風口
１３  第２送風口
１４  上部
１４１  挿入口
１５  引っ掛け部
１６  蓋板
１６１  底部
１７  第３送風口
２  熱エネルギー貯蔵コンポーネント
２０  固定部材
２１  フック部材
２１１  フック部
２１２  吊り下げ棒
２１３  吊り下げ縄
２１４  Ｕ型吊り下げ縄
２１５  網袋
２２  熱エネルギー貯蔵コンポーネント
２２１  貫通孔
２２２  環型溝
３  フレーム
【図１】
0003189690.tif 000003
【図２】
0003189690.tif 000004
【図３】
0003189690.tif 000005
【図４】
0003189690.tif 000006
【図５】
0003189690.tif 000007
【図６】
0003189690.tif 000008
【図７】
0003189690.tif 000009
【図８】
0003189690.tif 000010
【図９】
0003189690.tif 000011
【図１０】
0003189690.tif 000012
【図１１】
0003189690.tif 000013
【図１２】
0003189690.tif 000014
【図１３】
0003189690.tif 000015
【図１４】
0003189690.tif 000016